【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】  以下の成分：
（Ｉ）有機ポリマーと、
（ＩＩ）Ｆｅ、Ｃｅ、Ｃｏ、Ｍｎ、ＣｕまたはＶｄの有機塩と、
（ＩＩＩ）次式（Ａ−１）
【化１】
2003342485.tif 000001
［式中、
Ａ1は、水素原子または炭素原子数１ないし４のアルキル基を表し、
Ａ2は、直接結合または炭素原子数１ないし１０のアルキレン基を表し、そして
ｎ1は、２ないし５０の数を表す。］で表される化合物；
次式（Ａ−２−ａ）および（Ａ−２−ｂ）
【化２】
2003342485.tif 000002
【化３】
2003342485.tif 000003
［式中、
ｎ2およびｎ2*は、２ないし５０の数を表す。］で表される化合物の少なくとも一種；
次式（Ａ−３）
【化４】
2003342485.tif 000004
［式中、
Ａ3およびＡ4は、互いに独立して、水素原子または炭素原子数１ないし８のアルキル基を表すか、またはＡ3およびＡ4は、一緒になって、炭素原子数２ないし１４のアルキレン基を形成し、そして
変数ｎ3は、互いに独立して、１ないし５０の数を表す。］で表される化合物；
次式（Ａ−４）
【化５】
2003342485.tif 000005
［式中、
ｎ4は、２ないし５０の数を表し、
Ａ5は、水素原子または炭素原子数１ないし４のアルキル基を表し、
基Ａ6およびＡ7は、互いに独立して、炭素原子数１ないし４のアルキル基または次式（ａ−Ｉ）
【化６】
2003342485.tif 000006
（式中、Ａ8は、水素原子、炭素原子数１ないし８のアルキル基、−Ｏ・、−ＯＨ、−Ｃ
Ｈ2ＣＮ、炭素原子数１ないし１８のアルコキシ基；−ＯＨにより置換された炭素原子数
２ないし１８のアルコキシ基、炭素原子数５ないし１２のシクロアルコキシ基、炭素原子数３ないし６のアルケニル基；未置換であるかまたはフェニル基について１、２または３個の炭素原子数１ないし４のアルキル基により置換された炭素原子数７ないし９のフェニルアルキル基、または炭素原子数１ないし８のアシル基を表す。）で表される基を表すが、但し、
基Ａ7の少なくとも５０％は、式（ａ−Ｉ）で表される基を表す。］で表される化合物；
次式（Ｂ−１）
【化７】
2003342485.tif 000007
［式中、
Ｅ1は、水素原子、炭素原子数１ないし８のアルキル基、−Ｏ・、−ＯＨ、−ＣＨ2ＣＮ、炭素原子数１ないし１８のアルコキシ基；−ＯＨにより置換された炭素原子数２ないし１８のアルコキシ基、炭素原子数５ないし１２のシクロアルコキシ基、炭素原子数３ないし６のアルケニル基；未置換であるかまたはフェニル基について１、２または３個の炭素原子数１ないし４のアルキル基により置換された炭素原子数７ないし９のフェニルアルキル基、または炭素原子数１ないし８のアシル基を表し、
ｍ1は、１、２または４を表し、
ｍ1が１を表す場合、Ｅ2は、炭素原子数１ないし２５のアルキル基を表し、
ｍ1が２を表す場合、Ｅ2は、炭素原子数１ないし１４のアルキレン基または次式（ｂ−Ｉ）
【化８】
2003342485.tif 000008
（式中、Ｅ3は、炭素原子数１ないし１０のアルキル基または炭素原子数２ないし１０の
アルケニル基を表し、Ｅ4は、炭素原子数１ないし１０のアルキレン基を表し、そして
Ｅ5およびＥ6は、互いに独立して、炭素原子数１ないし４のアルキル基、シクロヘキシル基またはメチルシクロヘキシル基を表す。）で表される基を表し、そして
ｍ1が４を表す場合、Ｅ2は、炭素原子数４ないし１０のアルカンテトライル基を表す。］で表される化合物；
次式（Ｂ−２）
【化９】
2003342485.tif 000009
［式中、
基Ｅ7の二つは、−ＣＯＯ−（炭素原子数１ないし２０のアルキル）基を表し、そして
基Ｅ7の二つは、次式（ｂ−ＩＩ）
【化１０】
2003342485.tif 000010
（式中、Ｅ8は、Ｅ1の意味の一つを有する。）で表される基を表す。］で表される化合物；
次式（Ｂ−３）
【化１１】
2003342485.tif 000011
［式中、
Ｅ9およびＥ10は、一緒になって、炭素原子数２ないし１４のアルキレン基を形成し、
Ｅ11は、水素原子または基−Ｚ1−ＣＯＯ−Ｚ2を表し、
Ｚ1は、炭素原子数２ないし１４のアルキレン基を表し、そして
Ｚ2は、炭素原子数１ないし２４のアルキル基を表し、そして
Ｅ12は、Ｅ1の意味の一つを有する。］で表される化合物；
次式（Ｂ−４）
【化１２】
2003342485.tif 000012
［式中、
基Ｅ13は、互いに独立して、Ｅ1の意味の一つを有し、
基Ｅ14は、互いに独立して、水素原子または炭素原子数１ないし１２のアルキル基を表し、そして
Ｅ15は、炭素原子数１ないし１０のアルキレン基または炭素原子数３ないし１０のアルキリデン基を表す。］で表される化合物；
次式（Ｂ−５）
【化１３】
2003342485.tif 000013
［式中、
基Ｅ16は、互いに独立して、Ｅ1の意味の一つを有する。］で表される化合物；
次式（Ｂ−６）
【化１４】
2003342485.tif 000014
［式中、
Ｅ17は、炭素原子数１ないし２４のアルキル基を表し、そして
Ｅ18は、Ｅ1の意味の一つを有する。］で表される化合物；
次式（Ｂ−７）
【化１５】
2003342485.tif 000015
［式中、
Ｅ19、Ｅ20およびＥ21は、互いに独立して、次式（ｂ−ＩＩＩ）
【化１６】
2003342485.tif 000016
（式中、Ｅ22は、Ｅ1の意味の一つを有する。）で表される基を表す。］で表される化合
物；
次式（Ｂ−８）
【化１７】
2003342485.tif 000017
［式中、
基Ｅ23は、互いに独立して、Ｅ1の意味の一つを有し、そして
Ｅ24は、水素原子、炭素原子数１ないし１２のアルキル基または炭素原子数１ないし１２のアルコキシ基を表す。］で表される化合物；
次式（Ｂ−９）
【化１８】
2003342485.tif 000018
［式中、
ｍ2は、１、２または３を表し、
Ｅ25は、Ｅ1の意味の一つを有し、そして
ｍ2が１を表すとき、Ｅ26は基
【化１９】
2003342485.tif 000019
を表し、
ｍ2が２を表すとき、Ｅ26は、炭素原子数２ないし２２のアルキレン基を表し、そして
ｍ2が３を表すとき、Ｅ26は、次式（ｂ−ＩＶ）
【化２０】
2003342485.tif 000020
（式中、基Ｅ27は、互いに独立して、炭素原子数２ないし１２のアルキレン基を表し、そして
基Ｅ28は、互いに独立して、炭素原子数１ないし１２のアルキル基または炭素原子数５ないし１２のシクロアルキル基を表す。）で表される基を表す。］で表される化合物；
次式（Ｂ−１０）
【化２１】
2003342485.tif 000021
［式中、
基Ｅ29は、互いに独立して、Ｅ1の意味の一つを有し、そして
Ｅ30は、炭素原子数２ないし２２のアルキレン基、炭素原子数５ないし７のシクロアルキレン基、炭素原子数１ないし４のアルキレンジ（炭素原子数５ないし７のシクロアルキレン）基、フェニレン基またはフェニレンジ（炭素原子数１ないし４のアルキレン）基を表す。］で表される化合物；
次式（Ｃ−１）
【化２２】
2003342485.tif 000022
［式中、
Ｒ1、Ｒ3、Ｒ4およびＲ5は、互いに独立して、水素原子、炭素原子数１ないし１２アルキル基、炭素原子数５ないし１２のシクロアルキル基、炭素原子数１ないし４のアルキル置換された炭素原子数５ないし１２のシクロアルキル基、フェニル基；−ＯＨおよび／または炭素原子数１ないし１０のアルキル基により置換されたフェニル基、炭素原子数７ないし９のフェニルアルキル基；フェニル基について−ＯＨおよび／または炭素原子数１ないし１０のアルキル基により置換された炭素原子数７ないし９のフェニルアルキル基、または次式（ｃ−Ｉ）
【化２３】
2003342485.tif 000023
で表される基を表し、
Ｒ2は、炭素原子数２ないし１８のアルキレン基、炭素原子数５ないし７のシクロアルキ
レン基または炭素原子数１ないし４のアルキレンジ（炭素原子数５ないし７のシクロアルキレン）基を表すか、または
基Ｒ1、Ｒ2およびＲ3は、それらが結合する窒素原子と一緒になって、５ないし１０員ヘ
テロ環式環を成すか、または
Ｒ4およびＲ5は、それらが結合する窒素原子と一緒になって、５ないし１０員ヘテロ環式環を形成し、
Ｒ6は、水素原子、炭素原子数１ないし８のアルキル基、−Ｏ・、−ＯＨ、−ＣＨ2ＣＮ、炭素原子数１ないし１８のアルコキシ基；−ＯＨにより置換された炭素原子数２ないし１８のアルコキシ基、炭素原子数５ないし１２のシクロアルコキシ基、炭素原子数３ないし６のアルケニル基；未置換であるかまたはフェニル基について１、２または３個の炭素原子数１ないし４のアルキル基により置換された炭素原子数７ないし９のフェニルアルキル基、または炭素原子数１ないし８のアシル基を表し、そして
ｂ1は、２ないし５０の数を表すが、但し、
基Ｒ1、Ｒ3、Ｒ4およびＲ5の少なくとも一つは、式（ｃ−Ｉ）で表される基を表す。］で表される化合物；
次式（Ｃ−２）
【化２４】
2003342485.tif 000024
［式中、
Ｒ7およびＲ11は、互いに独立して、水素原子または炭素原子数１ないし１２のアルキル
基を表し、
Ｒ8、Ｒ9およびＲ10は、互いに独立して、炭素原子数２ないし１０のアルキレン基を表し、そして
Ｘ1、Ｘ2、Ｘ3、Ｘ4、Ｘ5、Ｘ6、Ｘ7およびＸ8は、互いに独立して、次式（ｃ−ＩＩ）
【化２５】
2003342485.tif 000025
（式中、Ｒ12は、水素原子、炭素原子数１ないし１２のアルキル基、炭素原子数５ないし１２のシクロアルキル基、炭素原子数１ないし４のアルキル置換された炭素原子数５ないし１２のシクロアルキル基、フェニル基、−ＯＨおよび／または炭素原子数１ないし１０のアルキル置換されたフェニル基、炭素原子数７ないし９のフェニルアルキル基；フェニル基について−ＯＨおよび／または炭素原子数１ないし１０のアルキル基により置換された炭素原子数７ないし９のフェニルアルキル基、または上記で定義した式（ｃ−Ｉ）で表される基を表し、そして
Ｒ13はＲ6の意味の一つを有する。）で表される基を表す。］で表される化合物；
次式（Ｃ−３）
【化２６】
2003342485.tif 000026
［式中、
Ｒ14は、炭素原子数１ないし１０のアルキル基、炭素原子数５ないし１２のシクロアルキル基、炭素原子数１ないし４のアルキル置換された炭素原子数５ないし１２のシクロアルキル基、フェニル基または炭素原子数１ないし１０のアルキル置換されたフェニル基を表し、
Ｒ15は、炭素原子数３ないし１０のアルキレン基を表し、
Ｒ16は、Ｒ6の意味の一つを有し、そして
ｂ2は、２ないし５０の数を表す。］で表される化合物；
次式（Ｃ−４）
【化２７】
2003342485.tif 000027
［式中、
Ｒ17およびＲ21は、互いに独立して、直接結合または−Ｎ（Ｘ9）−ＣＯ−Ｘ10−ＣＯ−
Ｎ（Ｘ11）−基を表し、ここで、Ｘ9およびＸ11は、互いに独立して、水素原子、炭素原
子数１ないし８のアルキル基、炭素原子数５ないし１２のシクロアルキル基、フェニル基
、炭素原子数７ないし９のフェニルアルキル基または式（ｃ−Ｉ）で表される基を表し、Ｘ10は、直接結合または炭素原子数１ないし４のアルキレン基を表し、
Ｒ18は、Ｒ6の意味の一つを有し、
Ｒ19、Ｒ20、Ｒ23およびＲ24は、互いに独立して、水素原子、炭素原子数１ないし３０のアルキル基、炭素原子数５ないし１２のシクロアルキル基またはフェニル基を表し、
Ｒ22は、水素原子、炭素原子数１ないし３０のアルキル基、炭素原子数５ないし１２のシクロアルキル基、フェニル基、炭素原子数７ないし９のフェニルアルキル基または式（ｃ−Ｉ）で表される基を表し、そして
ｂ3は、１ないし５０の数を表す。］で表される化合物；
式（Ｃ−５）
【化２８】
2003342485.tif 000028
［式中、
Ｒ25、Ｒ26、Ｒ27、Ｒ28およびＲ29は、互いに独立して、直接結合または炭素原子数１ないし１０のアルキレン基を表し、
Ｒ30は、Ｒ6の意味の一つを有し、そして
ｂ4は、１ないし５０の数を表す。］で表される化合物；および
次式（Ｃ−６−１）
【化２９】
2003342485.tif 000029
［式中、
ｂ'5、ｂ"5およびｂ"'5は、互いに独立して、２ないし１２の数を表す。］で表されるポ
リアミンと塩化シアヌリルとの反応により得られる生成物と、次式（Ｃ−６−２）
【化３０】
2003342485.tif 000030
［式中、
Ｒ31は、水素原子、炭素原子数１ないし１２のアルキル基、炭素原子数５ないし１２のシクロアルキル基、フェニル基または炭素原子数７ないし９のフェニルアルキル基を表し、そして
Ｒ32は、Ｒ6の意味の一つを有する。］で表される化合物との反応により得られる生成物
（Ｃ−６）からなる群より選択される立体障害性アミン化合物の一種またはそれ以上
を含む農業用品。
【請求項２】  成分（Ｉ）は、ポリエチレン、ポリプロピレン、ポリエチレンコポリマーまたはポリプロピレンコポリマーである、請求項１記載の農業用品。
【請求項３】  成分（ＩＩ）は、Ｃｅ、ＣｏまたはＭｎの炭素原子数１０ないし２０のアルカノエートまたはＣｅ、ＣｏまたはＭｎの炭素原子数１０ないし２０のアルケノエートである、請求項１記載の農業用品。
【請求項４】  成分（ＩＩＩ）は、次式（Ａ−１−ａ）、（Ａ−２−ａ）、（Ａ−２−ｂ）、（Ａ−３−ａ）、（Ａ−４−ａ）、（Ｂ−１−ａ）、（Ｂ−１−ｂ）、（Ｂ−１−ｃ）、（Ｂ−１−ｄ）、（Ｂ−２−ａ）、（Ｂ−３−ａ）、（Ｂ−３−ｂ）、（Ｂ−４−ａ）、（Ｂ−４−ｂ）、（Ｂ−５）、（Ｂ−６−ａ）、（Ｂ−７）、（Ｂ−８−ａ）、（Ｂ−９−ａ）、（Ｂ−９−ｂ）、（Ｂ−９−ｃ）、（Ｂ−１０−ａ）、（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）および（Ｃ−５−ａ）で表される化合物並びに生成物（Ｃ−６−ａ）
【化３１】
2003342485.tif 000031
［式中、ｎ1は、２ないし２０の数を表す。］；
【化３２】
2003342485.tif 000032
【化３３】
2003342485.tif 000033
［式中、ｎ2およびｎ2*は、２ないし２０の数を表す。］；
【化３４】
2003342485.tif 000034
［式中、変数ｎ3は、互いに独立して、１ないし２０の数を表す。］；
【化３５】
2003342485.tif 000035
［式中、ｎ4は、２ないし２０の数を表し、そして
基Ａ7の少なくとも５０％は、次式（ａ−Ｉ）
【化３６】
2003342485.tif 000036
（式中、Ａ8は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基；未置換であるかまたはフェニル基について１、２または３個の炭素原子数１ないし４のアルキル基により置換された炭素原子数７ないし９のフェニルアルキル基、または炭素原子数１ないし８のアシル基を表す。）で表される基を表し、そして
残りの基Ａ7は、エチル基を表す。］；
【化３７】
2003342485.tif 000037
【化３８】
2003342485.tif 000038
【化３９】
2003342485.tif 000039
【化４０】
2003342485.tif 000040
［式中、Ｅ1は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基；未置換であるかまたはフェニル基について１、２または３個の炭素原子数１ないし４のアルキル基により置換された炭素原子数７ないし９のフェニルアルキル基、または炭素原子数１ないし８のアシル基を表す。］；
【化４１】
2003342485.tif 000041
［式中、基Ｅ7の二つは、−ＣＯＯ−Ｃ13Ｈ27を表し、そして基Ｅ7の二つは、
【化４２】
2003342485.tif 000042
を表し、そしてＥ8は、Ｅ1の意味の一つを有する。］；
【化４３】
2003342485.tif 000043
【化４４】
2003342485.tif 000044
［式中、Ｅ12は、Ｅ1の意味の一つを有する。］；
【化４５】
2003342485.tif 000045
【化４６】
2003342485.tif 000046
［式中、Ｅ13は、Ｅ1の意味の一つを有する。］；
【化４７】
2003342485.tif 000047
［式中、Ｅ16は、Ｅ1の意味の一つを有する。］；
【化４８】
2003342485.tif 000048
［式中、Ｅ18は、Ｅ1の意味の一つを有する。］；
【化４９】
2003342485.tif 000049
［式中、Ｅ19、Ｅ20およびＥ21は、互いに独立して、次式（ｂ−ＩＩＩ）
【化５０】
2003342485.tif 000050
（式中、Ｅ22は、Ｅ1の意味の一つを有する。）で表される基を表す。］；
【化５１】
2003342485.tif 000051
［式中、Ｅ23は、Ｅ1の意味の一つを有する。］；
【化５２】
2003342485.tif 000052
【化５３】
2003342485.tif 000053
【化５４】
2003342485.tif 000054
［式中、Ｅ25は、Ｅ1の意味の一つを有する。］；
【化５５】
2003342485.tif 000055
［式中、Ｅ29は、Ｅ1の意味の一つを有する。］；
【化５６】
2003342485.tif 000056
【化５７】
2003342485.tif 000057
【化５８】
2003342485.tif 000058
【化５９】
2003342485.tif 000059
［式中、ｂ1は、２ないし２０の数を表し、そしてＲ6は、水素原子、炭素原子数１ないし８のアルキル基、Ｏ・、−ＯＨ、−ＣＨ2ＣＮ、炭素原子数１ないし１８のアルコキシ基
、炭素原子数５ないし１２のシクロアルコキシ基、炭素原子数３ないし６のアルケニル基；未置換であるかまたはフェニル基について１、２または３個の炭素原子数１ないし４のアルキル基により置換された炭素原子数７ないし９のフェニルアルキル基、または炭素原子数１ないし８のアシル基を表す。］；
【化６０】
2003342485.tif 000060
［式中、Ｒ13は、Ｒ6の意味の一つを有する。］；
【化６１】
2003342485.tif 000061
［式中、ｂ2は、２ないし２０の数を表し、そしてＲ16は、Ｒ6の意味の一つを有する。］；
【化６２】
2003342485.tif 000062
【化６３】
2003342485.tif 000063
【化６４】
2003342485.tif 000064
［式中、ｂ3は、１ないし２０の数を表し、そしてＲ18は、Ｒ6の意味の一つを有する。］；
【化６５】
2003342485.tif 000065
［式中、ｂ4は、１ないし２０の数を表し、そしてＲ30は、Ｒ6の意味の一つを有する。］；
次式（Ｃ−６−１−ａ）
【化６６】
2003342485.tif 000066
で表されるポリアミンと塩化シアヌリルとの反応により得られる生成物と、次式（Ｃ−６−２−ａ）
【化６７】
2003342485.tif 000067
［式中、Ｒ32は、Ｒ6の意味の一つを有する。］で表される化合物との反応により得られ
る生成物（Ｃ−６−ａ）からなる群より選択される立体障害性アミン化合物の一種またはそれ以上である、請求項１記載の農業用品。
【請求項５】  式中、Ａ8、Ｅ1、Ｅ8、Ｅ12、Ｅ13、Ｅ16、Ｅ18、Ｅ22、Ｅ23、Ｅ25
、Ｅ29、Ｒ6、Ｒ13、Ｒ16、Ｒ18、Ｒ30およびＲ32は、水素原子またはメチル基を表し、
そして
Ｅ1およびＲ6はさらに、炭素原子数１ないし８のアルコキシ基を表す、請求項４記載の農業用品。
【請求項６】  成分（ＩＩＩ）として、式（Ａ−１−ａ）、（Ａ−２−ａ）、（Ａ−２−ｂ）、（Ａ−３−ａ）、（Ａ−４−ａ）、（Ｂ−１−ａ）、（Ｂ−１−ｂ）、（Ｂ−１−ｃ）、（Ｂ−１−ｄ）、（Ｂ−２−ａ）、（Ｂ−３−ａ）、（Ｂ−３−ｂ）、（Ｂ−４−ａ）、（Ｂ−４−ｂ）、（Ｂ−５）、（Ｂ−６−ａ）、（Ｂ−７）、（Ｂ−８−ａ）、（Ｂ−９−ａ）、（Ｂ−９−ｂ）、（Ｂ−９−ｃ）、（Ｂ−１０−ａ）、（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）および（Ｃ−５−ａ）で表される化合物並びに生成物（Ｃ−６−ａ）からなる群より選択される二種の異なる立体障害性アミン化合物を含有するが、但し
二種の異なる立体障害性アミン化合物は同じ一般式より選択されない、請求項４記載の農業用品。
【請求項７】  成分（ＩＩＩ）は、
式（Ａ−１−ａ）で表される化合物、または
式（Ｃ−１−ａ）［式中、Ｒ6は、水素原子を表す。］で表される化合物、または
式（Ａ−１−ａ）で表される化合物と、式（Ｃ−１−ａ）［式中、Ｒ6は、水素原子を表
す。］で表される化合物との組合せ、または
式（Ａ−１−ａ）で表される化合物と、式（Ｃ−２−ａ）［式中、Ｒ13は、メチル基を表す。］で表される化合物との組合せ、または
式（Ｂ−１−ｂ）［式中、Ｅ1は、水素原子を表す。］で表される化合物と、式（Ｃ−１
−ａ）［式中、Ｒ6は、水素原子を表す。］で表される化合物との組合せである、請求項
１記載の農業用品。
【請求項８】  さらに、以下の成分：
（ＩＶ）酸化防止剤、
（Ｖ）ＵＶ吸収剤、
（ＶＩ）充填剤、
（ＶＩＩ）顔料、
（ＶＩＩＩ）Ｃａ、Ｍｇ、ＺｎまたはＡｌの無機塩または有機塩
の一種またはそれ以上を含有する、請求項１記載の農業用品。
【請求項９】  さらに、脂肪族ポリヒドロキシカルボン酸を含有する、請求項１記載の農業用品。
【請求項１０】  根囲いフィルムである、請求項１記載の農業用品。
【請求項１１】  有機ポリマー農業用品の耐候性および崩壊を制御する方法であって、該有機ポリマーに請求項１において定義される成分（ＩＩ）および（ＩＩＩ）を混入することからなる方法。
【請求項１２】  請求項1において定義される成分（ＩＩ）および（ＩＩＩ）を含有
する組成物であって、該組成物がポリオレフィンを含有するとき、天然ゴム、スチレンブタジエン樹脂、脂肪または油からなる群より選択される酸化し易い不飽和化合物の存在は除く組成物。
【請求項１３】  成分（ＩＩＩ）は二種の立体障害性アミン化合物に関する、請求項１において定義される成分（ＩＩ）および（ＩＩＩ）を含有する組成物。
【請求項１４】  有機ポリマー農業用品のための、請求項１において定義される成分（ＩＩ）および（ＩＩＩ）を含有する安定剤組成物。
【請求項１５】  成分（ＩＩＩ）は二種の立体障害性アミン化合物に関する、有機ポリマー農業用品のための、請求項１において定義される成分（ＩＩ）および（ＩＩＩ）を含有する安定剤組成物。